(57)【要約】【課題】耐食性および耐摩耗性に優れ、かつ軽量なチェーンを提供する。【解決手段】チェーン１を構成するリンクプレート１５は、オフセット型プレート２１ａ、２１ｂ、２１ｃ、２１ｄを有し、オフセット型プレート２１ａ、２１ｂにはブシュ３３が嵌合されている。  ブシュ３３を構成する材料は合成樹脂であり、ブシュ３３には、嵌合した際に、ブシュ３３が単体で回転するのを防ぐための切り欠き部３５ａ、３５ｂが設けられている。  ブシュ３３を構成する材料が合成樹脂であるため、ブシュ３３と他の部材間の電位差による腐食を防止でき、チェーン１の耐食性を向上させることができる。【選択図】図４
2007170602.tif 000002
【特許請求の範囲】
【請求項１】
一方の端部にピン挿通孔が設けられた外プレート部と、前記外プレート部の別の端部に設けられ、他方の端部にブシュ嵌合孔が設けられた内プレート部と、を有する１対のオフセット型プレートと、
前記ブシュ嵌合孔に嵌合されたブシュと、
前記ピン挿通孔および前記ブシュに挿通されたピンと、
からなり、
前記ブシュを構成する材料は合成樹脂であり、
前記ブシュは端部に切り欠き部を有し、
前記ブシュ嵌合孔は前記切り欠き部に対応した形状を有することを特徴とするチェーン。
【請求項２】
前記１対のオフセット型プレートの前記外プレート部側を前記チェーンの進行方向前方とすることを特徴とする請求項１記載のチェーン。
【請求項３】
前記合成樹脂は、ポリアセタール、ナイロン、超高分子ポリエチレンのいずれかであることを特徴とする請求項１記載のチェーン。
【請求項４】
前記オフセット型プレートおよび前記ピンは、同材質のステンレス鋼で形成されることを特徴とする請求項１記載のチェーン。
【発明の詳細な説明】
【技術分野】
【０００１】
本発明は、チェーンに関するものである。
【背景技術】
【０００２】
上水、下水、産業排水等の水処理装置には沈殿池、沈砂池の底に沈殿した砂や汚泥等を集める汚泥かき寄せ機と呼ばれる装置がある。
【０００３】
汚泥かき寄せ機は通常、１対のチェーンの間に汚泥をかき寄せるフライトと呼ばれる板が設けられており、チェーンを回転させることにより、フライトが沈殿池、沈砂池の底を移動し、砂や汚泥等を集める。
【０００４】
このような汚泥かき寄せ機に用いられるチェーンは耐腐食性、耐摩耗性を要求されるため、ステンレス鋼で構成されていることが多く、以下のようなものが知られている（特許文献１）。
【特許文献１】実開平４-６４６４４号公報
【発明の開示】
【発明が解決しようとする課題】
【０００５】
しかしながら、このようなチェーンの場合、チェーンの構成部品が全て金属であるため、異材質の金属同士が接触すると電位差腐食を生じ、寿命が短くなるという問題があった。
また、チェーンとスプロケットとの噛み合いでも電位差腐食を生じるという問題があった。
さらに、構成部品を全て金属で構成すると重量がかさむという問題があった。
【０００６】
本発明は、このような問題に鑑みてなされたもので、その目的は耐食性および耐摩耗性に優れ、かつ軽量なチェーンを提供することにある。
【課題を解決するための手段】
【０００７】
前述した目的を達成するために、本発明は、一方の端部にピン挿通孔が設けられた外プレート部と、前記外プレート部の別の端部に設けられ、他方の端部にブシュ嵌合孔が設けられた内プレート部と、を有する１対のオフセット型プレートと、前記ブシュ嵌合孔に嵌合されたブシュと、前記ピン挿通孔および前記ブシュに挿通されたピンと、からなり、前記ブシュを構成する材料は合成樹脂であり、前記ブシュは端部に切り欠き部を有し、前記ブシュ嵌合孔は前記切り欠き部に対応した形状を有することを特徴とするチェーンである。
前記１対のオフセット型プレートの前記外プレート部側を前記チェーンの進行方向前方とする。
前記合成樹脂は、ポリアセタール、ナイロン、超高分子ポリエチレンのいずれかであってもよい。
前記オフセット型プレートおよび前記ピンは、同材質のステンレス鋼で形成される。
【発明の効果】
【０００８】
本発明によれば、耐食性および耐摩耗性に優れ、かつ軽量なチェーンを提供することができる。
【発明を実施するための最良の形態】
【０００９】
以下、図面に基づいて本発明に好適な実施形態を詳細に説明する。図１は、本実施形態に係るチェーン３ａ、３ｂが設けられた汚泥かき寄せ機１を示す斜視図であって、図２は図１の側面断面図である。
【００１０】
図１および図２に示すように、汚泥かき寄せ機１は貯水槽２内に設けられており、互いに対向するように設けられたチェーン３ａ、３ｂを有し、チェーン３ａはスプロケット５ａ、５ｂ、５ｃ、５ｄと噛み合っている。
スプロケット５ａ、５ｂ、５ｃ、５ｄは、貯水槽２の側壁に固定された軸６ａ、６ｂ、６ｃ、６ｄに軸支されている。
従って、スプロケット５ａ、５ｂ、５ｃ、５ｄが回転することにより、図１のＡ方向に回転するようになっている。
【００１１】
チェーン３ｂはスプロケット７ａ、７ｂ、７ｃ、７ｄと噛み合っている。
スプロケット７ａ、７ｂ、７ｃ、７ｄは、貯水槽２の側壁に固定された軸６ａ、６ｂ、６ｃ、６ｄに軸支されている。
従って、スプロケット７ａ、７ｂ、７ｃ、７ｄが回転することにより、図１のＡ方向に回転するようになっている。
【００１２】
チェーン３ａとチェーン３ｂの間には長板状のフライト９が複数個設けられており、フライト９の端部は、チェーン３ａとチェーン３ｂに接続されている。
従って、フライト９は、チェーン３ａ、３ｂがＡ方向に回転することにより、図１のＡ方向に回転するようになっている。
【００１３】
フライト９がＡ方向に回転すると、図２に示すように、フライト９は貯水槽の底に沈殿した汚泥１３ａ、１３ｂ、１３ｃをかき寄せ、ピット１１内に廃棄する。
【００１４】
次にチェーン３ａ、３ｂの構造について説明する。図３はチェーン３ａの詳細図であって、図４はチェーン３ａを構成するリンクプレート１５の詳細図である。なお、図４ではアタッチメントプレート１７の表記を省略している。
また、チェーン３ｂの構造はチェーン３ａと同様であるため、説明を省略する。
【００１５】
図３に示すように、チェーン３ａは複数のリンクプレート１５を結合した構造を有している。また、リンクプレート１５の一定個数おきにアタッチメントプレート１７が設けられ、アタッチメントプレート１７にはフライト９が接続される。
【００１６】
図４に示すように、リンクプレート１５は、対向するように設けられたオフセット型プレート２１ａ、２１ｂからなり、オフセット型プレート２１ａ、２１ｂの内プレート部の外側にはオフセット型プレート２１ｃ、２１ｄの外プレート部が連結されている。
【００１７】
オフセット型プレート２１ａは外プレート部２３ａと内プレート部２５ａからなり、外プレート部２３ａと内プレート部２５ａの間には湾曲部２７ａが設けられている。
【００１８】
オフセット型プレート２１ｂは外プレート部２３ｂと内プレート部２５ｂからなり、外プレート部２３ｂと内プレート部２５ｂの間には湾曲部２７ｂが設けられている。
【００１９】
即ち、リンクプレート１５においては、外プレート部２３ａと外プレート部２３ｂの間の間隔の方が、内プレート部２５ａと内プレート部２５ｂの間の間隔よりも広い。
【００２０】
オフセット型プレート２１ａの外プレート部２３ａの端部にはピン挿通孔２９ａが設けられており、内プレート部２５ａの端部にはブシュ嵌合孔３１ａが設けられている。
オフセット型プレート２１ｂの外プレート部２３ｂの端部にはピン挿通孔２９ｂが設けられており、内プレート部２５ｂの端部にはブシュ嵌合孔３１ｂが設けられている。
【００２１】
なお、オフセット型プレート２１ｃ、２１ｄの構造も、オフセット型プレート２１ａ、２１ｂと同様である。
即ち、オフセット型プレート２１ｃ、２１ｄは外プレート部２３ｃ、２３ｄと内プレート部２５ｃ、２５ｄからなり、外プレート部２３ｃ、２３ｄと内プレート部２５ｃ、２５ｄの間には湾曲部２７ｃ、２７ｄが設けられている。
【００２２】
外プレート部２３ｃ、２３ｄの端部にはピン挿通孔２９ｃ、２９ｄが設けられており、内プレート部２５ｃ、２５ｄの端部にはブシュ嵌合孔３１ｃ、３１ｄが設けられている。
【００２３】
ブシュ嵌合孔３１ａ、３１ｂにはブシュ３３の両端がそれぞれ嵌合されている。
ブシュ３３には内部を貫通するピン貫通孔３７が設けられており、外プレート部２３ｃ、２３ｄのピン挿通孔２９ｃ、２９ｄとブシュ３３のピン貫通孔３７にピン３９を挿入することにより一連のチェーン１が形成されている。
【００２４】
ここで、ブシュ３３を構成する材料は合成樹脂である。
また、オフセット型プレート２１ａ、２１ｂ、２１ｃ、２１ｄおよびピン３９を構成する材料は同材質のステンレス鋼である。
【００２５】
ブシュ３３を構成する材料を合成樹脂とすることにより、ブシュ３３とオフセット型プレート２１ａ、２１ｂ、２１ｃ、２１ｄ、ピン３９および後述するスプロケット４１の歯部４３が接触しても電位差による腐食を起こすことがなく、チェーン１の耐食性を向上させることができる。
【００２６】
合成樹脂は耐摩耗性に優れ、成形、加工が容易であるものが好ましい。このような材料としては、例えばポリアセタール、ナイロン、ＵＨＭＷ−ＰＥ（Ultra High Molecular Weight Polyethylene,超高分子ポリエチレン）等が挙げられ、最も好ましくはポリアセタールである。
【００２７】
なお、合成樹脂は弾性体であるため、嵌合してもオフセット型プレート２１ａ、２１ｂの間で密着せず、回転してしまう場合がある。
そのため、図４に示すように、ブシュ３３には切り欠き部３５ａ、３５ｂが設けられており、また、ブシュ嵌合孔３１ａ、３１ｂの形状は、切り欠き部３５ａ、３５ｂの形状に対応した形状となっている。
【００２８】
従って、ブシュ３３が回転しようとしても、切り欠き部３５ａ、３５ｂの形状が回転を阻止するため、ブシュ３３はオフセット型プレート２１ａ、２１ｂと一体となり、回転することはない。
【００２９】
また、オフセット型プレート２１ａ、２１ｂ、２１ｃ、２１ｄおよびピン３９を構成する材料は同材質のステンレス鋼であるため、これらが接触しても電位差が生じない。従って、これらの部材間の電位差による腐食も防止でき、チェーン１の耐食性を向上させることができる。
【００３０】
なお、チェーン１を使用する際は、オフセット型プレート２１ａ、２１ｂ、２１ｃ、２１ｄを、チェーン１の進行方向に対して外プレート部２３ａ、２３ｂ、２３ｃ、２３ｄが、内プレート部２５ａ、２５ｂ、２５ｃ、２５ｄよりも前方になるような向きで使用するのが望ましい。
【００３１】
図５および図６は、チェーン３ａとスプロケット４１の噛み合いを示す拡大図である。
【００３２】
図５では、オフセット型プレート２１ａ、２１ｃは、チェーン１の進行方向Ｃ１に対して、外プレート部２３ａ、２３ｃが、内プレート部２５ａ、２５ｃよりも前方になるような向きで配置されている。
【００３３】
この場合、スプロケット４１がＢ１方向に回転すると、歯部４３がブシュ３３と噛み合ってチェーンをＣ１方向に進行させるため、オフセット型プレート２１ｃ、２１ｄはＤ１方向に回転し、スプロケット４１の外周に沿う。
【００３４】
この際、ブシュ３３はオフセット型プレート２１ａ、２１ｂに嵌合されているため、オフセット型プレート２１ｃ、２１ｄがＤ１方向に回転してもブシュ３３は回転しない。従ってブシュ３３は歯部４３との間で回転による摺動はせず、摩耗もしない。
【００３５】
一方、図６では、オフセット型プレート２１ａ、２１ｃは、チェーン１の進行方向Ｃ２に対して、外プレート部２３ａ、２３ｃが、内プレート部２５ａ、２５ｃよりも後方になるような向きで配置されている。
【００３６】
この場合も、スプロケット４１がＢ２方向に回転すると、歯部４３がブシュ３３と噛み合ってチェーンをＣ２方向に進行させるため、オフセット型プレート２１ｃ、２１ｄはＤ１方向に回転し、スプロケット４１の外周に沿う。
【００３７】
この際、ブシュ３３はオフセット型プレート２１ｃ、２１ｄに嵌合されているため、オフセット型プレート２１ｃ、２１ｄがＤ１方向に回転すると、ブシュ３３はオフセット型プレート２１ｃ、２１ｄと一体になってＤ２方向に回転する。従ってブシュ３３は歯部４３との間で回転により摺動し、摩耗を生ずる。
【００３８】
従って、チェーン１の摩耗を抑えるためには、オフセット型プレート２１ａ、２１ｂ、２１ｃ、２１ｄを、チェーン１の進行方向に対して外プレート部２３ａ、２３ｂ、２３ｃ、２３ｄが、内プレート部２５ａ、２５ｂ、２５ｃ、２５ｄよりも前方になるような向きに配置して使用するのが望ましい。
【００３９】
このように、本実施の形態によれば、チェーン３ａがオフセット型プレート２１ａ、２１ｂ、２１ｃ、２１ｄ、ブシュ３３からなり、ブシュ３３を構成する材料は合成樹脂である。
従って、ブシュ３３と他の部材間の電位差による腐食を防止でき、チェーン１の耐食性を向上させることができる。
【００４０】
また、本実施の形態によれば、ブシュ３３の両端部に切り欠き部３５ａ、３５ｂが設けられており、ブシュ３３が嵌合されるブシュ嵌合孔３１ａ、３１ｂの形状は、切り欠き部３５ａ、３５ｂの形状に対応した形状となっている。従って、ブシュ３３が合成樹脂で構成されていても、ブシュ３３が単体で回転するのを防ぐことができる。
【００４１】
以上、添付図面を参照しながら、本発明の実施形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【００４２】
例えば、本実施形態ではオフセット型プレート２１ａ、２１ｂ、２１ｃ、２１ｄおよびピン３９を構成する材料は同材質のステンレス鋼であるが、ブシュ３３と同様に合成樹脂であってもよい。
【図面の簡単な説明】
【００４３】
【図１】チェーン３ａ、３ｂが設けられた汚泥かき寄せ機１を示す斜視図
【図２】図１の側面断面図
【図３】チェーン３ａの詳細図
【図４】チェーン３ａを構成するリンクプレート１５の詳細図
【図５】チェーン１とスプロケット４１の噛み合いを示す拡大図
【図６】チェーン１とスプロケット４１の噛み合いを示す拡大図
【符号の説明】
【００４４】
１…………汚泥かき寄せ機
３ａ………チェーン
５ａ………スプロケット
７ａ………スプロケット
９…………フライト
１１………ピット
１３ａ……汚泥
１５………リンクプレート
１７………アタッチメントプレート
２１ａ……オフセット型プレート
２３ａ……外プレート部
２５ａ……内プレート部
２７ａ……湾曲部
２９ａ……ピン挿通孔
３１ａ……ブシュ嵌合孔
３３………ブシュ
３５ａ……切り欠き部
３７………ピン貫通孔
３９………ピン
４１………スプロケット
４３………歯部
【図１】
2007170602.tif 000003
【図２】
2007170602.tif 000004
【図３】
2007170602.tif 000005
【図４】
2007170602.tif 000006
【図５】
2007170602.tif 000007
【図６】
2007170602.tif 000008